(57)【特許請求の範囲】
【請求項１】
複数の口座釦等の乗越し精算情報を画面データで表示する表示手段と、この表示手段上に設けられ、乗越し精算情報を入力する入力手段と、この入力手段により入力された乗越し精算情報に対する入力処理を行う操作盤ユニットと、
上記操作盤ユニットにより設定された乗越し精算情報に対する乗越し乗車券を発券する発券メカユニットと、
上記操作盤ユニットと上記発券メカユニットとを制御する制御ユニットとを有する精算印刷発行装置において、
上記制御ユニットが、
外部装置からの運賃データを受信する受信手段と、
この受信手段により受信した運賃データにより口座釦の表示内容を更新した乗越し精算情報の画面データを作成する作成手段と、
乗越し乗車券の発券に対する締切処理が終了されたのに基づき終了処理日時が運賃改定日の所定の時間内であるか否かにより、運賃改訂ができる状態か否かを判定する第１の判定手段と、
この第１の判定手段により運賃改訂ができる状態と判定した際に、上記受信手段により運賃データを受信しているか否かを判定する第２の判定手段と、
この第２の判定手段により運賃データを受信していると判定した際に、上記作成手段により作成された更新用の画面データを上記操作盤ユニットへ出力する出力手段とを有してなり、
上記操作盤ユニットが、
上記出力手段から出力される更新用の画面データにより上記表示手段の表示内容を更新表示する処理手段とを有する、
ことを特徴とする精算印刷発行装置。
【発明の詳細な説明】
【０００１】
【産業上の利用分野】
この発明は、乗換駅での精算および目的駅までの乗車券を印刷発行する精算印刷発行装置に関する。
【０００２】
【従来の技術】
従来、交通機関としての鉄道等において、Ａ社線からＢ社線に乗換える（乗継ぐ）場合に、その乗換駅に設置される精算印刷発行装置を用いて、乗継にともなう係員による精算業務と目的駅までの乗車券（乗継券）の印刷発行が行われている。
【０００３】
このような、精算印刷発行装置では、運賃改定時に運賃改定データをセンタからのダウンロードにより更新したり、またはフロッピーディスクの投入により運賃改定データを更新するようになっている。しかし、精算印刷発行装置の操作盤における口座金額ラベルを交換する作業が同時に必要であった。
【０００４】
この場合、運賃改定日前日の終電後から運賃改定日当日の始電までに、上記作業を終了する必要があり、複数の装置を運賃改定改造する場合は人手がかかり、また、口座金額ラベルを作成するのに費用と時間がかかるという問題があった。
【０００５】
【発明が解決しようとする課題】
上記したように、精算印刷発行装置において、運賃改定時に人手がかかったり、運賃改定時の改造費用がかかってしまうという欠点を除去するもので、制御ユニット、発券メカユニット、操作盤ユニットを含んでいる精算印刷発行装置において、センタからの運賃データの受信により、運賃改定当日に自動的に運賃に関係するデータ及び操作盤ユニットの口座金額の更新を行うことができ、運賃改定時の改造費用を安価にすることができる精算印刷発行装置を提供することを目的とする。
【０００６】
【課題を解決するための手段】
この発明の精算印刷発行装置は、複数の口座釦等の乗越し精算情報を画面データで表示する表示手段と、この表示手段上に設けられ、乗越し精算情報を入力する入力手段と、この入力手段により入力された乗越し精算情報に対する入力処理を行う操作盤ユニットと、上記操作盤ユニットにより設定された乗越し精算情報に対する乗越し乗車券を発券する発券メカユニットと、上記操作盤ユニットと上記発券メカユニットとを制御する制御ユニットとを有するものにおいて、上記制御ユニットが、外部装置からの運賃データを受信する受信手段と、この受信手段により受信した運賃データにより口座釦の表示内容を更新した乗越し精算情報の画面データを作成する作成手段と、乗越し乗車券の発券に対する締切処理が終了されたのに基づき終了処理日時が運賃改定日の所定の時間内であるか否かにより、運賃改訂ができる状態か否かを判定する第１の判定手段と、この第１の判定手段により運賃改訂ができる状態と判定した際に、上記受信手段により運賃データを受信しているか否かを判定する第２の判定手段と、この第２の判定手段により運賃データを受信していると判定した際に、上記作成手段により作成された更新用の画面データを上記操作盤ユニットへ出力する出力手段とを有してなり、上記操作盤ユニットが、上記出力手段から出力される更新用の画面データにより上記表示手段の表示内容を更新表示する処理手段とを有する。
【０００９】
【作用】
この発明は、複数の口座釦等の乗越し精算情報を画面データで表示する表示手段と、この表示手段上に設けられ、乗越し精算情報を入力する入力手段と、この入力手段により入力された乗越し精算情報に対する入力処理を行う操作盤ユニットと、上記操作盤ユニットにより設定された乗越し精算情報に対する乗越し乗車券を発券する発券メカユニットと、上記操作盤ユニットと上記発券メカユニットとを制御する制御ユニットとを有するものにおいて、上記制御ユニットが、外部装置からの運賃データを受信し、この受信した運賃データにより口座釦の表示内容を更新した乗越し精算情報の画面データを作成し、乗越し乗車券の発券に対する締切処理が終了されたのに基づき終了処理日時が運賃改定日の所定の時間内であるか否かにより、運賃改訂ができる状態か否かを判定し、この判定により運賃改訂ができる状態と判定した際に、上記受信手段により運賃データを受信しているか否かを判定し、この判定により運賃データを受信していると判定した際に、上記作成された更新用の画面データを上記操作盤ユニットへ出力し、上記操作盤ユニットが、上記制御ユニットから出力される更新用の画面データにより上記表示手段の表示内容を更新表示するようにしたものである。
【００１０】
【実施例】
以下、この発明の一実施例について図面を参照して説明する。
図１は、精算印刷発行装置を示すものである。すなわち、精算印刷発行装置は、図１において、制御ユニット１１、操作盤ユニット１２、精算券及び目的駅までの乗車券（乗継券）を発行する発券メカユニット１３、定期券及びプリペイドカードを処理するカードメカユニット１４の４つのユニットから構成されている。
【００１１】
制御ユニット１１はＣＰＵ２１を中心に構成されるもので、ＣＰＵ２１からのシステムバスにはＲＯＭ２２、ＲＡＭ２３、伝送制御部２４、各種制御プログラム及びデータが記憶されているハードディスクユニット２５、フロッピーディスクユニット２６、オンライン伝送制御部３０が接続されている。伝送制御部２４は３つの伝送Ｉ／Ｆ（インターフェース）２７〜２９を介して通信回線Ａ１〜Ａ３の一端にそれぞれ接続されている。また、制御ユニット１１には、図示しない時計機能を有し、日時管理、監視が行えるようになっている。
【００１２】
また、操作盤ユニット１２はＣＰＵ３１を中心に構成されるもので、ＣＰＵ３１からのシステムバスにはＲＡＭ３６、カラーＬＣＤタッチパネル３４、複数の固定画面を登録するフラッシュＲＯＭ３５、このフラッシュＲＯＭ３５の複数の固定画面が電源投入時にコピーされる表示用ＲＡＭ３６、伝送制御部３７が接続されている。この伝送制御部３７には伝送Ｉ／Ｆ３８が接続されている。このカラーＬＣＤタッチパネル３４は下車駅等の情報を入力するタッチスイッチが設けられている。
【００１３】
また、発券メカユニット１３はＣＰＵ４１を中心に構成されるもので、ＣＰＵ４１からのシステムバスにはＲＯＭ４２、ＲＡＭ４３、精算券及び乗継券を発行する発券メカ機構部４４、伝送制御部４５が接続されている。この伝送制御部４５には伝送Ｉ／Ｆ４６が接続されている。
【００１４】
また、カードメカユニット１４はＣＰＵ５１を中心に構成されるものでＣＰＵ５１からのシステムバスにはＲＯＭ５２、ＲＡＭ５３、カードメカ機構部５４、伝送制御部５５が接続されている。この伝送制御部には伝送Ｉ／Ｆ５６が接続されている。
【００１５】
また、図２は操作盤ユニット１２を上から見た図を示し、図３は発券メカユニット１３とカードメカユニット１４の正面図を示している。上記操作盤ユニット１２は、利用客に対向する接客用のテーブル上に設置され、上記発券メカユニット１３とカードメカユニット１４は、係員の手の届く範囲内の、上記テーブルの近傍に設置されている。
【００１６】
また、操作盤ユニット１２には、図２に示すように、カラーＬＣＤタッチパネル３４が設けられている。このカラーＬＣＤタッチパネル３４には乗り換えた路線での下車駅を指定した金額等が表示可能である。また、操作盤ユニット１２には、図２に示すように、障害、介護等の割引設定キー３９ａ、テンキー３９ｂ、発行の指示を行うスタートキー３９ｃも設けられている。
【００１７】
上記カードメカユニット１４には、図３に示すように、定期券及びプリペイドカードが挿入されたり排出されるカード挿入排出口１４ａが設けられている。
上記発券メカユニット１３には、図３に示すように、精算券および乗継券が発行される発行口１３ａ、乗車券、回数券が挿入される挿入口１３ｂ、および回収された乗車券等が収納される回収庫１３ｃが設けられている。
【００１８】
図４は口座番号のキー番号の対応表であり、図５はカラーＬＣＤタッチパネル３４の表示例であり、その表示例の下から８枠分、横９枠分が、それぞれキー番号１１〜１９、２１〜２９、３１〜３９、４１〜４９、５１〜５９、６１〜６９、７１〜７９、８１〜８９に対応しており、キー番号割付表のように割付けてある。
【００１９】
図６に運賃の算出、表示に必要なファイルを示し、このファイルはたとえばハードディスクユニット２５に記憶されるようになっている。すなわち、現行口座運賃データテーブルファイル２５ａ、新口座運賃データテーブルファイル２５ｂ、現行運賃表示用口座テーブルファイル２５ｃ、新運賃表示用口座テーブルファイル２５ｄ、現行運賃画面データファイル２５ｅ、新運賃画面データファイル２５ｆからなっている。
【００２０】
通常は、現行口座運賃データテーブルファイル２５ａ、現行運賃表示用口座テーブルファイル２５ｃ、現行運賃画面データファイル２５ｅを使用して処理を行う。運賃データ受信時は、新口座運賃データテーブルファイル２５ｂ、新運賃表示用口座テーブルファイル２５ｄ、新運賃画面データファイル２５ｆを使用する。
【００２１】
現行口座運賃データテーブルファイル２５ａ、および新口座運賃データテーブルファイル２５ｂは、図７に示すように、運賃改定年月日と複数の口座運賃データからなり、各口座運賃データは、キー番号、社線コード、口座番号、大人の合計金額、大人の連絡金額、小児の合計金額、小児の連絡金額ごとの、タイプとバイト数が設定されている。大人の合計金額、大人の連絡金額、小児の合計金額、小児の連絡金額は、それぞれ、割引無、障害者、介護者等ごとに、タイプとバイト数が設定されている。
【００２２】
現行運賃表示用口座テーブルファイル２５ｃ、および新運賃表示用口座テーブルファイル２５ｄは、図８に示すように、各キーコードごとに、パラメータ、表示金額、駅名漢字コード等から構成されている。上記パラメータは、たとえば８ビット構成で、上位１ビット目が駅名表示の有無を表し、上位２ビット目が金額表示の有無を表し、上位３ビット目が表示位置（金額）の上下を表している。
【００２３】
現行運賃画面データファイル２５ｅ、および新運賃画面データファイル２５ｆは、図９に示すように、各キーごとの各項目に対するタイプとバイト数が設定されている。各項目としては、表示種別、表示金額、駅名漢字コード、駅名終了コード、ダミーとなっている。
【００２４】
図１０の（ａ）、（ｂ）に、操作盤ユニット１２のフラッシュＲＯＭ３５及び表示用ＲＡＭ３６の画面エリアマップを示す。フラッシュＲＯＭ３５は３２画面までの固定画面を登録することができる。
【００２５】
上記フラッシュＲＯＭ３５の３２画面の固定画面は表示用ＲＡＭ３６の３２画面部のエリアにそれぞれコピーされる。操作盤ユニット１２は制御ユニット１１から指定される表示用ＲＡＭ３６の画面番号の画面を表示し、可変項目のみ制御ユニット１１からのデータにより、表示用ＲＡＭ３６の内容を更新して表示する。
【００２６】
次に、上記のように構成されたこの発明の一実施例の動作について、図１１に示すフローチャートを参照しつつ説明する。
この装置の電源がオンされると、まず、初期化処理として各種レジスタ等の初期化等がなされた後に（ＳＴ１）、精算券発行処理が行われる（ＳＴ２）。この精算券発行処理は、操作盤ユニット１２のカラーＬＣＤタッチパネル３４のスイッチの操作データが通信回線Ａ１を介して制御ユニット１１に取込まれ、そのスイッチ操作に対する処理、例えば下車駅を指定された場合は、下車駅を反転表示させ、精算金額を現行口座運賃データテーブルファイル２５ａから取出し、表示させる処理がなされる。次に、発券メカ１３に対するコマンド／レスポンス処理がなされ、発券メカ機構部４４を介する発券処理に対する制御データが通信回線Ａ２を介して発券メカ１３の出力される。次に、カードメカユニット１４に対するコマンド／レスポンス処理がなされ、カードメカユニット１４のカードメカ機構部５４を介する定期券、プリペイドカードからの情報を取込む処理がなされる。
【００２７】
以上の一連の処理を行った後に処理が終了したか、つまり精算処理が終了したかと判定する（ＳＴ３）。
この判定で「ＮＯ」と判定された場合には、前述した精算券発行処理が繰り返される。上記判定で「ＹＥＳ」と判定された場合は、集計処理が行われる（ＳＴ４）。
【００２８】
この後、締切処理が指示された場合（ＳＴ５）、締切処理を実行する（ＳＴ６）。また、運賃データを受信した場合には運賃データ受信処理を行う（ＳＴ７）。
【００２９】
次に、締切処理が終了して運賃改定ができる状態か判定する（ＳＴ８）。この判定は、運賃データ受信処理が行われているかと、時間監視により行われており、時間監視としては、運賃改定日の３時〜５時の場合、運賃改定ができる状態と判定し、それ以外の時間の場合、運賃改定ができない状態と判定する。
【００３０】
上記ステップ８の判定で「ＮＯ」と判定された場合には前述したステップ７に戻る。上記ステップ８の判定で「ＹＥＳ」と判定された場合には、ＲＡＭ２３の運賃データ受信フラグ２３ａが“１”か否かで、運賃データを受信したか否かを判定する（ＳＴ９）。この判定で「ＹＥＳ」と判定された場合には運賃データ更新処理を行い（ＳＴ１０）、前述したステップ２に戻る。上記判定で「ＮＯ」と判定された場合には、前述したステップ２に戻る。
【００３１】
次に、上記運賃データ受信処理を図１２に示すフローチャートを参照しつつ説明する。
まず、受信データが有るかどうかを判定する（ＳＴ１１）。この判定で「ＮＯ」と判定された場合には処理終了となる。上記判定で「ＹＥＳ」と判定された場合には、運賃データを受信する（ＳＴ１２）。
【００３２】
ついで、その受信した運賃データにより新口座運賃データテーブルファイル２５ｂを作成し（ＳＴ１３）、新運賃表示用口座テーブルファイル２５ｄを作成し（ＳＴ１４）、新運賃画面データファイル２５ｆを作成する（ＳＴ１５）。上記かくファイルの作成後、ＲＡＭ２３内の運賃データ受信フラグ２３ａを“１”にセットする（ＳＴ１６）。
【００３３】
次に、上記運賃データ更新処理を図１３に示すフローチャートを参照しつつ説明する。
まず、新口座運賃データテーブルファイル２５ｂを現行口座運賃データファイル２５ａにコピーする（ＳＴ２１）。次に、新運賃表示用口座テーブルファイル２５ｄを現行運賃表示用テーブルファイル２５ｃにコピーする（ＳＴ２２）。次に、新運賃画面データファイル２５ｆを現行運賃画面データファイル２５ｅにコピーする（ＳＴ２３）。次に、現行運賃画面データファイル２５ｅを制御ユニット１１から操作盤ユニット１２に送信する。
【００３４】
これにより、操作盤ユニット１２では、受信したデータを表示用のデータに変換し、固定画面のフラッシュＲＯＭ３５の指定された画面を更新し、フラッシュＲＯＭ３５の更新内容を表示用ＲＡＭ３６にコピーする（ＳＴ２４）。
【００３５】
次に、ＲＡＭ２３内の運賃データ受信フラグ２３ａを“０”にセットする（ＳＴ２５）。
以上のように、運賃データ受信後、ある条件（運賃改定前の集計データの締切処理が終了しているか）で、自動的に操作盤の口座金額を更新することができる。
【００３６】
上記したように、運賃テーブルと口座釦の表示用テーブルをリンクさせ、制御部から操作盤へ画面データをダウンラインロードすることによって、プログラム変更することなしに、操作盤の口座釦の金額を変更するようにしたものである。
【００３７】
すなわち、センタからの運賃データの受信により、運賃改定当日に自動的に、運賃に関係するデータおよび操作盤の口座金額の更新を行うようにしたものである。
【００３８】
これにより、口座金額ラベルの交換が不要となり、操作盤の口座金額をセンタからの運賃データにより自動的に変更でき、運賃改定時の改造費用を安価にすることができる。
【００３９】
【発明の効果】
以上詳述したようにこの発明によれば、制御ユニット、発券メカユニット、操作盤ユニットを含んでいる精算印刷発行装置において、センタからの運賃データの受信により、運賃改定当日に自動的に運賃に関係するデータ及び操作盤ユニットの口座金額の更新を行うことができ、運賃改定時の改造費用を安価にすることができる精算印刷発行装置を提供できる。
【図面の簡単な説明】
【図１】この発明の一実施例を説明するための精算印刷発行装置の概略構成を示すブロック図。
【図２】操作盤ユニットの上面部の構成を示す図。
【図３】発券メカユニットとカードメカユニットの構成を示す図。
【図４】口座釦に対するキー番号の対応表を示す図。
【図５】操作盤ユニットのカラーＬＣＤタッチパネルの表示例を示す図。
【図６】運賃の算出表示に必要なファイルの説明図。
【図７】口座運賃データテーブルファイルを説明するための図。
【図８】運賃表示用口座データテーブルファイルを説明するための図。
【図９】運賃画面データファイルを説明するための図。
【図１０】操作盤ユニットのフラッシュＲＯＭと表示用ＲＡＭの画面エリアマップを示す図。
【図１１】制御ユニットのメインプログラムの内容を示すフローチャート。
【図１２】制御ユニットのメインプログラムの中の運賃データ受信処理の内容を示すフローチャート。
【図１３】制御ユニットのメインプログラムの中の運賃データ更新処理の内容を示すフローチャート。
【符号の説明】
１１…制御ユニット
１２…操作盤ユニット
１３…発券メカユニット
１４…カードメカユニット
２１、３１、４１、５１…ＣＰＵ
２３…ＲＡＭ
２３ａ…運賃データ受信フラグ
２５…ハードディスクユニット
２５ａ…現行口座運賃データテーブルファイル
２５ｂ…新口座運賃データテーブルファイル
２５ｃ…現行運賃表示用データテーブルファイル
２５ｄ…新運賃表示用データテーブルファイル
２５ｅ…現行運賃画面データファイル
２５ｆ…新運賃画面データファイル
３４…カラーＬＣＤタッチパネル
３５…フラッシュＲＯＭ
３６…表示用ＲＡＭ
【図１】
0003590112.tif 000002
【図２】
0003590112.tif 000003
【図３】
0003590112.tif 000004
【図４】
0003590112.tif 000005
【図５】
0003590112.tif 000006
【図６】
0003590112.tif 000007
【図７】
0003590112.tif 000008
【図８】
0003590112.tif 000009
【図９】
0003590112.tif 000010
【図１０】
0003590112.tif 000011
【図１１】
0003590112.tif 000012
【図１２】
0003590112.tif 000013
【図１３】
0003590112.tif 000014